(57)【要約】【課題】  より利便性の高い券媒体、及び改札機を提供する。【解決手段】  一実施形態に係る券媒体は、二次元コード券発行装置により、改札処理に用いられる二次元コード券の発行に用いられるロール状の券媒体であって、前記二次元コード券発行装置により前記改札処理の通行判定に用いられる二次元コードが印刷される第１の面と、予め裏面であることを示す裏面二次元コードが印刷されている第２の面と、を有する。【選択図】      図３
2014182432.tif 000002
【特許請求の範囲】
【請求項１】
二次元コード券発行装置により、改札処理に用いられる二次元コード券の発行に用いられるロール状の券媒体であって、
前記二次元コード券発行装置により前記改札処理の通行判定に用いられる二次元コードが印刷される第１の面と、
予め裏面であることを示す裏面二次元コードが印刷されている第２の面と、
を有する券媒体。
【請求項２】
前記裏面二次元コードが前記第２の面に所定間隔置きに印刷されている請求項１に記載の券媒体。
【請求項３】
二次元コード券から二次元コードを読み取る読取部と、
前記二次元コードに基づいて、二次元コード券の表面が翳されたか裏面が翳されたか判定する表裏判定部と、
二次元コード券の表面が翳されたと判定した場合、前記二次元コードの情報に基づいて通行判定を行う通行判定手段と、
二次元コード券の裏面が翳されたと判定した場合、前記二次元コード券の表面を翳すことを促す情報を報知する報知部と、
前記表裏判定部または前記通行判定部手段の判定結果に基づいて、前記利用者の通行を制御する通行制御部と、
を具備する改札機。
【発明の詳細な説明】
【技術分野】
【０００１】
本発明の実施形態は、券媒体、及び改札機に関する。
【背景技術】
【０００２】
鉄道の駅には、各種の駅務処理を行なう駅務機器が設置されている。駅務機器は、例えば、改札機、券売機、精算機、または窓口端末などである。これらの駅務機器は、入場券、定期券、及び乗車券などに対して種々の処理を行う。
【０００３】
近年では、券媒体として、券情報が変換された二次元コードが印刷された媒体（二次元コード券）を利用し、入出場処理等を行う改札システムが提案されている。二次元コード券を処理する駅務機器は、二次元コード券の二次元コードを読み取ることにより券情報を取得し、取得した券情報に基づいて処理を行う。
【先行技術文献】
【特許文献】
【０００４】
【特許文献１】特開２００５−１４１６２６号公報
【発明の概要】
【発明が解決しようとする課題】
【０００５】
二次元コード券を処理する改札機は、二次元コード券を光学的に読み取り、二次元コードの画像を取得し、取得した二次元コードの画像を券情報に変換する。しかし、改札機は、二次元コードが印刷されていない面が翳された場合、無応答となるという課題がある。
【０００６】
本発明は、より利便性の高い券媒体、及び改札機を提供することを目的とする。
【課題を解決するための手段】
【０００７】
一実施形態に係る券媒体は、二次元コード券発行装置により、改札処理に用いられる二次元コード券の発行に用いられるロール状の券媒体であって、前記二次元コード券発行装置により前記改札処理の通行判定に用いられる二次元コードが印刷される第１の面と、予め裏面であることを示す裏面二次元コードが印刷されている第２の面と、を有する。
【図面の簡単な説明】
【０００８】
【図１】図１は、一実施形態に係る改札システムについて説明するための説明図である。
【図２】図２は、一実施形態に係る改札システムについて説明するための説明図である。
【図３】図３は、一実施形態に係る券媒体について説明するための説明図である。
【図４】図４は、一実施形態に係る二次元コード券について説明するための説明図である。
【図５】図５は、一実施形態に係る改札機について説明するための説明図である。
【図６】図６は、一実施形態に係る改札機について説明するための説明図である。
【図７】図７は、一実施形態に係る改札機について説明するための説明図である。
【発明を実施するための形態】
【０００９】
以下、図面を参照しながら券媒体、及び改札機について詳細に説明する。  
図１は、改札システム１００について説明するための説明図である。改札システムは、利用者の特定のエリアへの入場及び退場などに関する業務を各駅務機器により実行する。なお、ここでは、改札システム１００は、鉄道の駅の改札内への入退場に関する業務を行うとして説明する。  
図１に示す改札システム１００は、種々の駅務機器を備える。改札システム１００は、例えば、券売機１１０、及び改札機１４０などを備える。
【００１０】
券売機１１０は、種々の乗車券を発行する発行装置として機能する。券売機１１０は、券売機１１０は、例えば利用者により入力される操作に基づいて入場券、普通乗車券、自由席特急券及び指定席特急券などの料金券、回数券、並びに精算券（総じて切符と称する）を発行するためのデータ（切符情報）を生成する。
【００１１】
券売機１１０は、生成した切符情報に基づいて二次元コードを生成する。さらに、券売機１１０は、二次元コードを券媒体に印刷し、切符としての二次元コード券１５０を発行する。
【００１２】
改札機１４０は、駅の改札口などに設置される。改札機１４０は、利用者の所持する二次元コード券１５０に対して改札処理を行う。
【００１３】
以下、各駅務機器の動作について詳細に説明する。  
図２は、一実施形態に係る券売機１１０について説明するための説明図である。  
券売機１１０は、利用者により入力される操作に基づいて二次元コード券１５０を発行する二次元コード券発行装置である。なお、詳述しないが、券売機１１０は、切符が有する情報（切符情報）に基づいて利用額の不足分を精算し、精算券を発行する精算機の機能を含む。
【００１４】
券売機１１０は、制御部１１１、記憶部１１２、表示部１１３、操作部１１４、現金処理部１１５、及び二次元コード券処理部１１６を備える。
【００１５】
制御部１１１は、券売機１１０の動作を制御する。また、制御部１１１は、他の駅務機器とデータの送受信を行うことができる。
【００１６】
記憶部１１２は、券売機１１０の制御に必要な制御データ、及び二次元コード券１５０を発行するために必要な各種のデータを予め格納している。
【００１７】
表示部１１３は、制御部１１１の制御に基づいて種々の情報を表示する。表示部１１３は、液晶表示器などで構成されている。この表示部１１３は、制御部１１１による制御に基づいて、券売機１１０を利用する利用者に対して二次元コード券１５０の発行業務に必要な各種操作を案内する画面、及び発行する二次元コード券１５０の内容などの種々の情報を案内する画面などを表示する。
【００１８】
操作部１１４は、利用者による操作入力に基づいて操作信号を生成する。操作部１１４は、各種ボタン、または、接触を検知し、検知した接触の位置に基づいて操作信号を生成するタッチパネルなどにより構成される。操作部１１４は、制御部１１１による制御に基づいて、利用者による各種操作の入力を受け付ける。例えば、操作部１１４は、二次元コード券１５０を発行するのに必要な情報の入力を受け付ける。
【００１９】
現金処理部１１５は、利用者により投入される紙幣、及び／または貨幣などを処理する。
【００２０】
二次元コード券処理部１１６は、二次元コード券１５０の発行を行う。例えば、二次元コード券処理部１１６は、二次元コードを媒体に印刷する印刷部と、媒体を収容する収容部を備える。二次元コード券１５０を発行する場合、二次元コード券処理部１１６は、収容部に収容されている媒体に対して制御部１１１により生成される二次元コードを印刷する。これにより、二次元コード券処理部１１６は、切符としての二次元コード券１５０を発行する。
【００２１】
二次元コード券１５０を発行する場合、券売機１１０は、発売画面を表示部１１３に表示する。券売機１１０は、操作部１１４による操作入力を受け付ける。券売機１１０は、発売画面の表示中における操作入力に基づいて、乗車区間（有効区間）、または出場駅を特定する。なお、券売機１１０は、乗車区間を利用者に選択させる構成であっても、出場駅を利用者に選択させる構成であってもよい。
【００２２】
乗車区間を利用者に選択させる場合、例えば、券売機１１０は、券売機１１０が設置されている駅からの乗車区間毎に金額を示すボタンを表示部１１３に表示する。券売機１１０は、このボタンの選択操作に応じて乗車区間を決定する。
【００２３】
出場駅を利用者に選択させる場合、例えば、券売機１１０は、路線内の駅の一覧をボタンとして表示部１１３に表示する。券売機１１０は、このボタンの選択操作に応じて出場駅を決定する。さらに、券売機１１０は、券売機１１０が設置されている駅を入場駅として、入場駅から出場駅までを乗車区間として決定する。
【００２４】
また、入場駅を利用者に選択させる構成であってもよい。この場合も、券売機１１０は、入場駅として選択可能な路線内の駅の一覧をボタンとして表示部１１３に表示する。券売機１１０は、このボタンの選択操作に応じて入場駅を決定する。券売機１１０は、決定した入場駅から出場駅までを乗車区間として決定する。
【００２５】
さらに、券売機１１０は、券種別、媒体ＩＤ（券番号）、利用日（有効期限）、区間（有効区間）などを生成する。券種別は、発行する二次元コード券１５０の種別を示すものである。例えば、券種別は、普通乗車券、自由席特急券、指定席特急券、精算券などの種類がある。
【００２６】
券番号は、二次元コード券１５０を識別する為の固有情報である。券売機１１０は、例えば、二次元コード券１５０の発行順で券番号を生成する。有効期限は、当該二次元コード券１５０により改札処理を受けることができる期限を示す情報である。例えば、券売機１１０は、発効日のみ二次元コード券１５０が有効になるように有効期限を生成する。
【００２７】
券売機１１０は、券種別、券番号、有効期限、及び有効区間ｉに基づいて切符情報を生成する。即ち、切符情報は、券種別、券番号、有効期限、及び有効区間などの情報を含む。
【００２８】
券売機１１０の二次元コード券処理部１１６は、生成した切符情報に基づいて二次元コードを生成し、生成した二次元コードを券媒体に印刷する。上記の処理により、券売機１１０は、二次元コード券１５０を発行する。
【００２９】
なお、券売機１１０は、切符情報を如何なる二次元コードに変換する構成であってもよい。券売機１１０の記憶部１１２は、切符情報を種々の規格の二次元コードに変換する為のアルゴリズム（またはアプリケーション）を記憶する。制御部１１１は、記憶部１１２に記憶されているアルゴリズムを用いて切符情報から二次元コードを生成する。
【００３０】
二次元コードは、水平方向、垂直方向、及びさらに他の方向に情報を持つ表示方式である。二次元コードは、一次元コードに比べ、より多くの情報をコード化できる。即ち、二次元コードは、印字面積を小さくできる。
【００３１】
二次元コードには、例えば、小さな正方形のセルがマトリックス状に配列されたマトリックスコードがある。各セルは、例えば白と黒などの二つの状態で生成される。これにより、二次元コードの各セルは、論理値「０」と「１」とを表現することができる。
【００３２】
図３は、二次元コード券１５０の発行に用いられる券媒体１５３の例を示す。券媒体１５３は、券面情報１５１および切符情報に基づく二次元コード１５２を印刷可能な面（表面）と、裏面であることを示す二次元コード（裏面二次元コード）１５４が既に印刷されている面（裏面）とを有する。券媒体１５３は、例えばロール状であり、所定間隔毎に裏面に裏面二次元コード１５４が印刷されている。
【００３３】
二次元コード券処理部１１６は、券媒体１５３の表面に券面情報１５１及び二次元コード１５２を印刷し、券媒体１５３を所定の長さで切断する。これにより、二次元コード券処理部１１６は、図４に示すように、表面に券面情報１５１及び二次元コード１５２が印刷され、裏面に裏面二次元コード１５４が印刷された二次元コード券１５０を発行することができる。
【００３４】
図４は、券売機１１０により発行された二次元コード券１５０の例を示す。  
図４に示すように、二次元コード券１５０の表面には、券種別、券番号、有効区間、有効期限、及び列車情報などの券面情報１５１、並びに二次元コード１５２などが印刷される。
【００３５】
券売機１１０は、利用者の操作に基づいて生成した切符情報に基づいて、券面情報１５１を可視インクにより印刷する。これにより、利用者は、券面からこの二次元コード券１５０の切符情報を認識することができる。
【００３６】
また、券売機１１０は、切符情報に基づいて二次元コード１５２を媒体の券面に印刷する。さらに、二次元コード券１５０の裏面には、予め印刷された裏面二次元コード１５４が印刷されている。
【００３７】
これにより、改札機１４０は、二次元コード券１５０の表面と裏面とのどちらが翳されたとしても、二次元コード１５２及び裏面二次元コード１５４のいずれかを読み取ることができる。
【００３８】
図５及び６は、改札機１４０の構成の例を示す。  
改札機１４０は、二次元コード券１５０から情報を読み取り改札処理を行う。改札機１４０は、駅の改札口などに設置される。改札機１４０は、改札口で利用者の所持する切符から取得する情報に基づいて、改札処理を行う。これにより、改札機１４０は、利用者の通行の可否を判断する。
【００３９】
図５及び図６により示されるように、改札機１４０は、主制御部１４１、二次元コード券処理部１４２、ドア制御部１４４、ドア１４５、表示部１４６、及び本体１４７を備える。主制御部１４１、二次元コード券処理部１４２、ドア制御部１４４、及び表示部１４６は、例えばバスなどを介して互いに接続される。
【００４０】
主制御部１４１は、改札機１４０の各部の動作を統合的に制御する。主制御部１４１は、切符情報に基づいて通行判定を行う。主制御部１４１は、通行判定の結果に基づいてドア制御部１４４を制御する。さらに、主制御部１４１は、通行判定の結果に基づいて種々の案内を表示部１４６に表示するように表示部１４６を制御する。
【００４１】
なお、主制御部１４１は、ＣＰＵ、ＲＯＭ、ＲＡＭ、及び不揮発性メモリなどを備える。ＣＰＵは、種々の演算処理を行う。ＣＰＵは、ＲＯＭに記憶されている制御プログラム及び制御データに基づいて種々の処理を行う。例えば、ＣＰＵは、ＲＯＭに記憶されているプログラムを実行することにより、通行判定、ドア制御部１４４の制御、及び表示部１４６による表示処理を行う。
【００４２】
ＲＯＭは、予め改札機１４０の制御用のプログラム及び制御データなどを記憶する不揮発性のメモリである。ＲＡＭは、ワーキングメモリとして機能する揮発性のメモリである。ＲＡＭは、ＣＰＵの処理中のデータなどを一時的に格納する。また、ＲＡＭは、ＣＰＵが実行するプログラムを一時的に展開して格納する。
【００４３】
不揮発性メモリは、ＣＰＵが実行する処理において用いられるプログラム及びデータを記憶する記憶部である。不揮発性メモリは、通行判定、ドア制御部１４４の制御、及び表示部１４６による表示処理などに用いるデータを記憶する。例えば、不揮発性メモリは、運賃データなどを記憶する。
【００４４】
二次元コード券処理部１４２は、利用者が所持する二次元コード券１５０に印刷されている二次元コード１５２または裏面二次元コード１５４を画像として読み取る。二次元コード券１５０の表面が翳された場合、二次元コード券処理部１４２は、読み取った二次元コード１５２の画像を解析することにより、元のデータ、即ち、切符情報を取得する。二次元コード券処理部１４２は、取得した切符情報を主制御部１４１に送信する。
【００４５】
また、二次元コード券１５０の裏面が翳された場合、二次元コード券処理部１４２は、読み取った二次元コード１５４の画像を解析することにより、裏面であることを示す情報を取得する。これにより、二次元コード券処理部１４２は、翳された面が二次元コード券１５０の裏面であることを認識することができる。
【００４６】
二次元コード券処理部１４２は、カメラ、及び解析処理部を備える。またさらに、二次元コード券処理部１４２は、照明などを備える構成であってもよい。照明は、利用者が提示する二次元コード券１５０に対して光を照射する。例えば、カメラは、エリアイメージセンサなどを備える。カメラは、照明から射出されて二次元コード券１５０により反射された光から画像を取得する。これにより、二次元コード券処理部１４２は、二次元コード券１５０から二次元コードの画像を取得する。
【００４７】
なお、二次元コード券処理部１４２は、画像中の二次元コードが印刷されている領域を特定する。二次元コード券処理部１４２は、特定した領域で画像を切り出す。これにより、二次元コード券処理部１４２は、二次元コード１５２または裏面二次元コード１５４を含む画像を取得することができる。
【００４８】
さらに、二次元コード券処理部１４２は、取得した二次元コードの画像をデコードし、元の情報を取得する。なお、二次元コード券処理部１４２は、種々の規格の二次元コードをデコードする為のアルゴリズム（またはアプリケーション）を記憶するメモリを備える。二次元コード券処理部１４２は、メモリに記憶されているアルゴリズムを用いて二次元コードをデコードし、元の情報を取得する。
【００４９】
図７は、改札機１４０による改札処理の例を示す。  
また、二次元コード券処理部１４２は、二次元コード券１５０から二次元コードを読み取る（ステップＳ２１）。
【００５０】
改札機１４０の主制御部１４１は、二次元コード券処理部１４２により読み取った二次元コードが裏面二次元コード１５４であるか否か判断する（ステップＳ２２）。
【００５１】
二次元コード券処理部１４２に二次元コード券１５０の表面が翳された場合、二次元コード券処理部１４２は、二次元コード券１５０から二次元コード１５２を読み取ることができる。この場合、主制御部１４１は、二次元コード１５２から元の切符情報を復元することができる。
【００５２】
二次元コード券処理部１４２に二次元コード券１５０の裏面が翳された場合、二次元コード券処理部１４２は、二次元コード券１５０から裏面二次元コード１５４を読み取ることができる。この場合、主制御部１４１は、二次元コード１５２の裏面が翳されたことを認識することができる。
【００５３】
二次元コード券処理部１４２に二次元コード券１５０の表面が翳されたと判断した場合、主制御部１４１は、通行判定を行う（ステップＳ２３）。即ち、主制御部１４１は、二次元コード券処理部１４２により取得した切符情報と、不揮発性メモリなどにより記憶されている運賃データとに基づいて通行判定を行う。
【００５４】
例えば、主制御部１４１は、切符情報に基づいて、引去り額（運賃）を算出する。即ち、主制御部１４１は、切符情報の券種別が乗車券を示す場合、切符情報の有効区間に基づいて、運賃（引去り額）を算出する。主制御部１４１は、例えば、当該改札機１４０が設置されている駅が、切符情報の有効区間内であるか否かに基づいて利用者の通行の可否を判定する。即ち、主制御部１４１は、当該改札機１４０が設置されている駅が切符情報の有効区間内である場合、利用者の通行を可と判定する。
【００５５】
また、主制御部１４１は、当該改札機１４０が特急列車に乗車する為の改札口に設置されている場合、切符情報の券種別を参照し、券種別に特急券を含むか、または、券種別に特急券が含まれるか判定する。主制御部１４１は、券種別が自由席特急券及び指定席特急券のいずれかである場合、利用者の通行を可と判定する。即ち、主制御部１４１は、券種別が自由席特急券及び指定席特急券のどちらでもない場合、利用者の通行を不可と判定する。
【００５６】
通行判定が可である場合、主制御部１４１は、利用者の通行を促す表示を表示部１４６に表示させ、ドア１４５を開くようにドア制御部１４４を制御する（ステップＳ２４）。
【００５７】
また、ステップＳ２２で、二次元コード券処理部１４２に二次元コード券１５０の表面が翳されたと判断した場合、主制御部１４１は、表示部１４６または図示しないスピーカにより、二次元コード券１５０の表面が翳されたことを利用者に報知する（ステップＳ２５）。
【００５８】
例えば、二次元コード券処理部１４２に二次元コード券１５０の表面が翳されたと判断した場合、主制御部１４１は、表示部１４６に二次元コード券１５０の表面を翳すことを促す情報を表示する。また、二次元コード券処理部１４２に二次元コード券１５０の表面が翳されたと判断した場合、主制御部１４１は、上記のスピーカにより、二次元コード券１５０の表面を翳すことを促す音声を出力する。
【００５９】
ステップＳ２５で二次元コード券１５０の表面が翳されたことを利用者に報知した場合、または、ステップＳ２３で通行判定が不可であると判定した場合、主制御部１４１は、ドア１４５を閉めるようにドア制御部１４４に制御信号（閉信号）を送信する（ステップＳ２６）。ドア制御部１４４は、ドア１４５の開閉を制御することにより、利用者の通行を制御する。ドア制御部１４４は、ドア１４５の開閉を制御するドア開閉機構（図示せず）を備える。ドア制御部１４４は、主制御部１４１からの閉信号の有無に基づいて、ドア１４５の開閉を制御する。ドア制御部１４４は、主制御部１４１から閉信号を受信した場合、ドアの開閉機構のモータなどを動作させることにより、ドア１４５を閉じる。
【００６０】
図５により示されるように、ドア１４５は、改札機１４０の本体１４７の側面部に設置されている。また、通常、複数の改札機１４０が改札口に並列に設置される。複数の改札機１４０の本体１４７により少なくとも１つ以上の通路が形成される。ドア１４５は、この通路を塞ぐように開閉する。
【００６１】
表示部１４６は、主制御部１４１の制御に基づいて、種々の案内を表示する。表示部１４６は、液晶ディスプレイ、プラズマディスプレイ、有機ＥＬディスプレイ、または他の表示装置などのうちのいずれかを備える。例えば、表示部１４６は、通行の可否、残額情報が示す金額、定期券の有効期限、及び、利用者を窓口に誘導する案内などを表示する。
【００６２】
改札機１４０は、通常、ドア１４５を開いた状態で維持する。即ち、改札機１４０のドア制御部１４４は、ドア１４５を閉める動作を待つ状態となる。
【００６３】
ここで、例えば、主制御部１４１による通行判定が行われたとする。主制御部１４１は、通行判定において、通行不可と判定した場合、ドア１４５を閉じるようにドア制御部１４４を制御する。この場合、ドア制御部１４４は、ドア１４５を閉じるようにドアの開閉機構のモータなどを動作させる。これにより、改札機１４０は、通行不可と判定された切符を所持する利用者の通行を防ぐことができる。
【００６４】
上記した券売機１１０は、裏面に裏面二次元コード１５４が印刷された券媒体１５３の表面に、二次元コード１５２及び券面情報１５１を印刷し、二次元コード券１５０を発行することができる。これにより、改札機１４０は、二次元コード１５２と裏面二次元コード１５４とのいずれかを必ず読み取ることができる。この為、改札機１４０は、二次元コード券１５０の裏面が翳された場合であっても、無応答とならずに表面を翳すことを促す案内を利用者に報知することができる。この結果、より利便性の高い券媒体、及び改札機を提供することができる。
【００６５】
なお、上記の実施形態では、鉄道に設置される駅務機器における処理の例について説明したが、改札システム１００は、例えば飛行機の登場口及び飛行機の搭乗券などにも同様に実施することができる。
【００６６】
また、券売機１１０は、券媒体１５３に特殊な印刷方法により裏面二次元コード１５４を印刷する構成であってもよい。例えば、券売機１１０は、券媒体１５３に凹版印刷により裏面二次元コード１５４を印刷する。これにより、券売機１１０は、触覚的に二次元コード券１５０の裏面を利用者に認識させることができる二次元コード券１５０を発行することができる。
【００６７】
また、券売機１１０は、予め裏面にエンボス加工が施された券媒体１５３を用いて二次元コード券１５０を発行する構成であってもよい。この構成によっても、券売機１１０は、触覚的に二次元コード券１５０の裏面を利用者に認識させることができる二次元コード券１５０を発行することができる。
【００６８】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００６９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００７０】
１００…改札システム、１１０…券売機、１１１…制御部、１１２…記憶部、１１３…表示部、１１４…操作部、１１５…現金処理部、１１６…二次元コード券処理部、１４０…改札機、１４１…主制御部、１４２…二次元コード券処理部、１４４…ドア制御部、１４５…ドア、１４６…表示部、１４７…本体、１５０…二次元コード券、１５１…券面情報、１５２…二次元コード、１５３…券媒体、１５４…裏面二次元コード。
【図１】
2014182432.tif 000003
【図２】
2014182432.tif 000004
【図３】
2014182432.tif 000005
【図４】
2014182432.tif 000006
【図５】
2014182432.tif 000007
【図６】
2014182432.tif 000008
【図７】
2014182432.tif 000009